(57)【要約】【課題】各録画モード（番組単位録画モード又は通常録画モード）の弱点を補い番組を録画することが可能な番組録画方法を提供することにある。【解決手段】番組録画方法は、選局中の放送の番組の番組情報の受信状況に基づき、録画指示の入力に対応して選局中の放送の番組の録画を開始し、前記番組の番組情報に基づき前記番組の終了時刻で録画を終了する第１の録画モード、及び録画指示の入力に対応して選局中の放送の番組の録画を開始し、録画終了時刻の入力又は録画終了の入力に対応して前記番組の録画を終了する第２の録画モードのうちの一方の録画モードを選択して実行する。【選択図】      図１
2010103929.tif 000002
【特許請求の範囲】
【請求項１】
録画指示の入力に対応して選局中の放送の番組の録画を開始し、前記番組の番組情報に基づき前記番組の終了時刻で録画を終了する第１の録画モードを実行する第１の録画手段と、
録画指示の入力に対応して選局中の放送の番組の録画を開始し、録画終了時刻の入力又は録画終了の入力に対応して前記番組の録画を終了する第２の録画モードを実行する第２の録画手段と、
モード設定に対応して前記第１及び第２の録画モードのうちの一方の録画モードを設定するモード設定手段と、
録画指示の入力時に、前記録画モード設定及び前記番組情報の受信状況に基づき、前記第１及び第２の録画モードのうちの一方の録画モードを選択して実行する録画制御手段と、
を備えたことを特徴とする番組録画装置。
【請求項２】
前記録画制御手段は、前記第１の録画モードが設定され且つ前記番組情報を受信可能な場合に前記第１の録画モードにより録画を開始し、前記第１の録画モードが設定され且つ前記番組情報を受信不能な場合に前記第２の録画モードにより録画を開始することを特徴とする請求項１に記載の番組録画装置。
【請求項３】
前記第２の録画モードが設定され、前記番組情報を受信可能な場合には、前記第２の録画モードにより録画された録画番組データに対して、前記番組情報から判明する各番組の区切りに対応する位置に区切り情報を設定する区切り情報設定手段を備えたことを特徴とする請求項１に記載の番組録画装置。
【請求項４】
前記第２の録画モードが設定され、前記番組情報を受信不能な場合には、前記第２の録画モードにより録画された録画番組データに対して、定時刻毎に区切り情報を設定する区切り情報設定手段を備えたことを特徴とする請求項１に記載の番組録画装置。
【請求項５】
前記第２の録画モードが設定され、前記番組情報を受信不能な場合には、前記第２の録画モードにより録画された録画番組データに対して、録画開始後の最も近い定時刻に区切り情報を設定し、この最も近い定時刻を基準として所定時間毎に区切り情報を設定する区切り情報設定手段を備えたことを特徴とする請求項１に記載の番組録画装置。
【請求項６】
録画指示の入力に対応して選局中の放送の第１の番組の録画を開始し、前記第１の番組の第１の番組情報に基づき前記第１の番組の終了時刻で録画を終了する録画モードを実行する録画手段と、
前記録画モードの実行時に、前記第１の番組情報に基づき前記第１の番組の残り放送時間が第１の設定時間より短い場合、前記第１の番組の次に放送される第２の番組の第２の番組情報に基づき前記第２の番組を番組放送開始時刻から番組放送終了時刻まで録画する第１のバックアップモードを実行する第１のバックアップ手段と、
前記第１のバックアップモードの実行時に、前記第２の番組情報に基づき前記第２の番組の放送時間が第２の設定時間より短い場合、前記第２の番組の次に放送される第３の番組の第３の番組情報に基づき前記第３の番組を番組放送開始時刻から番組放送終了時刻まで録画する第２のバックアップモードを実行する第２のバックアップ手段と、
を備えたことを特徴とする番組録画装置。
【請求項７】
録画指示の入力に対応して選局中の放送の番組の録画を開始し、前記番組の番組情報に基づき前記番組の終了時刻で録画を終了する第１の録画モード、及び録画指示の入力に対応して選局中の放送の番組の録画を開始し、録画終了時刻の入力又は録画終了の入力に対応して前記番組の録画を終了する第２の録画モードを選択的に実行する番組録画方法であって、
選局中の放送の番組の番組情報の受信状況に基づき、前記第１及び第２の録画モードのうちの一方の録画モードを選択して実行することを特徴とする番組録画方法。
【発明の詳細な説明】
【技術分野】
【０００１】
本発明は、録画ボタンによる録画指示に基づき録画を開始し、番組情報から判明する番組終了時刻で録画を終了する番組単位録画、又は録画ボタンによる録画指示に基づき録画を開始し、録画停止ボタンによる録画停止指示に基づき録画を終了する通常録画を実行する番組録画装置及び番組録画方法に関する。
【背景技術】
【０００２】
近年、ハードディスクドライブを備えた番組録画装置の普及が目覚しい。例えば、番組録画装置は、予約情報に基づき番組を録画する予約録画機能、及び録画ボタンによる録画指示に基づき即録画を開始する即時録画機能を備える。例えば、即時録画機能は、番組単位録画モード及び通常録画モードにより録画動作を実行する。
【０００３】
番組単位録画モードが選択されると、録画ボタンによる録画指示に基づき録画が開始され、番組情報から判明する番組終了時刻で録画が終了される。通常録画モードが選択されると、録画ボタンによる録画指示に基づき録画が開始され、録画停止ボタンによる録画停止指示に基づき録画を終了される。
【０００４】
上記した番組単位録画モード及び通常録画モードを簡単操作で選択する技術が提案されている（特許文献１参照)。特許文献１には、録画ボタンの押下の回数に応じて、「通常録画」、「この番組の終わりまで」、「３０分で録画終了」、「６０分で録画終了」、「１２０分で録画終了」を表示する技術が提案されている。さらに、特許文献１には、ＥＰＧ（電子番組ガイド）が取得できない場合には、録画ボタンの押下の回数に応じて、「通常録画」、「この番組の終わりまで」、「３０分で録画終了」、「６０分で録画終了」、「１２０分で録画終了」などを表示する技術が提案されている。
【特許文献１】特開２００５−２７７８０５
【発明の開示】
【発明が解決しようとする課題】
【０００５】
上記したように、番組単位録画モード及び通常録画モードを簡単操作で選択する技術が提案されているものの、さらなる簡単操作が要望されている。
【０００６】
例えば、予め番組単位録画モード及び通常録画モードのうちの一方の録画モードを設定しておく方法が考えられる。予め番組単位録画モードを設定しておけば、録画ボタンが押下されると、番組単位録画モードが実行され、予め通常録画モードを設定しておけば、録画ボタンが押下されると、通常録画モードが実行される。
【０００７】
ところが、番組単位録画モードを実行するためには、番組情報の取得が必須である。このため、予め番組単位録画モードが設定されているにもかかわらず、番組情報が取得できないと、番組の録画ができなくなってしまうという不具合が生じる。
【０００８】
また、通常録画モードに対応して録画動作を実行すると、複数番組が１タイトルとして録画されてしまうことがあり、このような１タイトルを再生し易くして欲しいという要望が挙げられている。
【０００９】
本発明の目的は、各録画モード（番組単位録画モード又は通常録画モード）の弱点を補い番組を録画することが可能な番組録画装置及び番組録画方法を提供することにある。
【課題を解決するための手段】
【００１０】
この発明の一実施形態に係る番組録画装置は、録画指示の入力に対応して選局中の放送の番組の録画を開始し、前記番組の番組情報に基づき前記番組の終了時刻で録画を終了する第１の録画モードを実行する第１の録画手段と、録画指示の入力に対応して選局中の放送の番組の録画を開始し、録画終了時刻の入力又は録画終了の入力に対応して前記番組の録画を終了する第２の録画モードを実行する第２の録画手段と、モード設定に対応して前記第１及び第２の録画モードのうちの一方の録画モードを設定するモード設定手段と、録画指示の入力時に、前記録画モード設定及び前記番組情報の受信状況に基づき、前記第１及び第２の録画モードのうちの一方の録画モードを選択して実行する録画制御手段と、を備えている。
【００１１】
この発明の一実施形態に係る番組録画方法は、録画指示の入力に対応して選局中の放送の番組の録画を開始し、前記番組の番組情報に基づき前記番組の終了時刻で録画を終了する第１の録画モード、及び録画指示の入力に対応して選局中の放送の番組の録画を開始し、録画終了時刻の入力又は録画終了の入力に対応して前記番組の録画を終了する第２の録画モードを選択的に実行する番組録画方法であって、選局中の放送の番組の番組情報の受信状況に基づき、前記第１及び第２の録画モードのうちの一方の録画モードを選択して実行する。
【発明の効果】
【００１２】
本発明によれば、各録画モード（番組単位録画モード又は通常録画モード）の弱点を補い番組を録画することが可能な番組録画装置及び番組録画方法を提供できる。
【発明を実施するための最良の形態】
【００１３】
以下、図面を参照し、本発明の実施形態について説明する。
【００１４】
図３は、本発明の一実施形態に係る番組録画装置の概略構成を示す図である。図３に示すように、番組録画装置は、ＣＰＵモジュール１０、録画モード設定モジュール１１、番組情報有無判断モジュール１２、番組時間算出比較モジュール１３、番組単位録画情報生成モジュール１４、通常録画チャプター情報生成モジュール１５、リモートコントローラ信号受光モジュール２２、ユーザ操作入力モジュール２３、チューナモジュール２４、メモリモジュール２５、タイマモジュール２６、録画再生信号処理モジュール２７、ハードディスクドライブモジュール３１、ハードディスク３２、ディスクドライブモジュール３３を備えている。
【００１５】
リモートコントローラ２１は、放送種別選択キー、テンキー（選局キー）、録画キー、録画停止キー、設定キー、番組情報表示キー、十字キー、決定キーなどを備えている。リモートコントローラ２１のキーが押下されると、リモートコントローラ２１は押下されたキーに対応したコントロール信号を送信する。リモートコントローラ信号受光モジュール２２は、リモートコントローラ２１から送信されたコントロール信号を受信（受光）し、受信したコントロール信号をＣＰＵモジュール１０へ通知する。ＣＰＵモジュール１０は、リモートコントローラ信号受光モジュール２２から通知されるコントロール信号に基づき各種動作を制御する。
【００１６】
ユーザ操作入力モジュール２３は、録画キー、録画停止キー、設定キーなどを備えている。ユーザ操作入力モジュール２３のキーが押下されると、ユーザ操作入力モジュール２３は押下されたキーに対応したコントロール信号を送信する。ＣＰＵモジュール１０は、ユーザ操作入力モジュール２３から通知されるコントロール信号に基づき各種動作を制御する。
【００１７】
チューナモジュール２４は、アンテナからの放送信号を受信し、リモートコントローラ２１のテンキー（選局キー）の押下に対応し、放送信号に含まれる所定チャンネルの信号を選局する。選局された所定チャンネルの信号は、録画再生信号処理モジュール２７を介して、モニタ４０に出力される。
【００１８】
また、チューナモジュール２４は、リモートコントローラ２１の番組情報表示キーの押下に対応し、放送信号に含まれる電子番組ガイド（番組情報）をモニタ４０へ出力する。これにより、モニタ４０には、電子番組ガイドが表示される。電子番組ガイドは、各チャンネルの各番組の放送開始時間及び放送終了時間などの情報を含む。
【００１９】
ユーザは、モニタ４０に表示された電子番組ガイドを見ながら、リモートコントローラ２１の十字キー、決定キーなどを使用して、電子番組ガイドの中から所望の番組を選択することができる。電子番組ガイドの中から所望の番組が選択されると、モニタ４０には、所望の番組の録画を予約するか否かを選択する選択画面が表示される。ユーザは、モニタ４０に表示された選択画面を見ながら、リモートコントローラ２１の十字キー、決定キーなどを使用して、所望の番組の予約録画を設定することができる。
【００２０】
ここで、予約録画の動作について説明する。ＣＰＵモジュール１０は、所望の番組の録画予約情報に基づき、チューナモジュール２４及び録画再生信号処理モジュール２７を制御し、所望の番組の録画を制御する。例えば、ＣＰＵモジュール１０は、所望の番組の放送開始時間の数秒前になると、チューナモジュール２４に対して所望の番組のチャンネル選局を指示する。これにより、チューナモジュール２４は、所望の番組のチャンネルを選局し、所望の番組のチャンネルの信号を、録画再生信号処理モジュール２７へ出力する。さらに、ＣＰＵモジュール１０は、所望の番組の放送開始時間の数秒前になると、録画再生信号処理モジュール２７に対して録画開始を指示する。これにより、録画再生信号処理モジュール２７は、所望の番組の信号をエンコードし、所望番組のエンコード信号を指定記録先（ハードディスクドライブモジュール３１又はディスクドライブモジュール３３）へ出力する。これにより、ハードディスクドライブモジュール３１が所望番組のエンコード信号をハードディスクへ記録したり、ディスクドライブモジュール３３が所望番組のエンコード信号を光ディスクへ記録したりする。また、ＣＰＵモジュール１０は、所望の番組の放送終了時間になると、録画再生信号処理モジュール２７に対して録画停止を指示する。これにより、録画再生信号処理モジュール２７は、所望の番組の信号のエンコードを停止し、所望番組のエンコード信号の出力も停止する。
【００２１】
続いて、図１に示すフローチャートを参照して、即時録画について説明する。即時録画には、通常録画モードと番組単位録画モードとがあり、事前にどちらかの録画モードを設定することができる（ＳＴ１１）。例えば、リモートコントローラ２１の設定キーを押下すると、モニタ４０には設定画面が表示される。さらに、リモートコントローラ２１の十字キー、決定キーなどを使用し、設定画面中の録画設定を選択し、通常録画モード又は番組単位録画モードを選択することができる。録画モード設定モジュール１１は、通常録画モードの選択操作に対応して、通常録画モードを設定する。或いは、録画モード設定モジュール１１は、番組単位録画モードの選択操作に対応して、番組単位録画モードを設定する。
【００２２】
ユーザは、リモートコントローラ２１を使用して、所望のチャンネルを選局することができる。上記したように、番組単位録画モードが設定され、所望のチャンネルが選局された状態で（所望のチャンネルの所定の番組が視聴された状態で）、リモートコントローラ２１の録画キーが押下（１回押下）されると（ＳＴ１２）、番組情報有無判断モジュール１２による電子番組ガイドの受信状況に応じて、ＣＰＵモジュール１０は、通常録画の開始を指示したり、番組単位録画の開始を指示したりする。つまり、番組単位録画モードが設定されていても、電子番組ガイドが受信できない場合には（ＳＴ１３、ＮＯ）、通常録画（第２の通常録画）が開始される（ＳＴ２７）。番組単位録画モードが設定されていて、電子番組ガイドが受信できた場合には（ＳＴ１３、ＹＥＳ）、番組単位録画が開始される（ＳＴ２１又はＳＴ２２）。
【００２３】
ここで、番組単位録画モードが設定されていて、電子番組ガイドが受信できた場合の番組単位録画の詳細について説明する。番組情報有無判断モジュール１２により電子番組ガイドが受信されていることが確認されると（ＳＴ１３、ＹＥＳ）、モニタ４０には図２に示すような録画操作画面が表示される（ＳＴ１４）。録画操作画面には、例えば、「この番組（視聴中の番組）を予約します。番組が終わると録画も停止します。」が表示され、さらに、予約時間、現在時刻、現在視聴中の番組情報(チャンネル番号、チャンネル名、番組名、ジャンル情報)なども表示される。
【００２４】
さらに、番組時間算出比較モジュール１３は、録画キーが押下された時刻から視聴中（選局中）の番組の終了時刻までの番組残り時間を検出し、番組残り時間と予め設定された所定時間（例えば５分）とを比較する。番組残り時間が所定時間以下でなければ（ＳＴ１５、ＮＯ）、番組単位録画が開始される（ＳＴ２２）。つまり、録画再生信号処理モジュール２７は、視聴中の番組の録画を開始し、この番組の放送終了で録画を終了する（ＳＴ２３）。
【００２５】
これにより、図４に示すように、１９：００〜２１：００の時間帯で放送されている番組（ドラマ）の視聴中に録画キーが押下された場合に、視聴中の番組（ドラマ）を録画キーの押下の時点から視聴中の番組（ドラマ）の放送終了まで録画することができる。なお、放送終了時刻は、視聴中の番組（ドラマ）の番組情報に基づき検出することができる。
【００２６】
番組残り時間が所定時間以下であれば（ＳＴ１５、ＹＥＳ）、ｉ＝１が設定され（ＳＴ１６）、視聴中の番組の次の番組ｉの放送時間が所定時間以下でなければ（ＳＴ１７、ＮＯ）、視聴中の番組の次の番組ｉの番組単位録画が開始される（ＳＴ２１）。つまり、録画再生信号処理モジュール２７は、視聴中の番組の次の番組ｉの放送開始時間の数秒前になると録画を開始し、この番組ｉの放送終了で録画を終了する（ＳＴ２３）。
【００２７】
これにより、図７に示すように、１９：００〜２１：００の時間帯で放送されている番組（ドラマ）の視聴中であって、しかも２１：００の直前に録画キーが押下された場合に、番組（ドラマ）の次の番組（映画）を録画することができる。一般的に、２１：００〜２３：００の時間帯で放送されている番組（映画）を録画しようとした場合、２１：００の直前に録画キーを押下することがある。このとき、１９：００〜２１：００の時間帯で放送されている番組（ドラマ）だけが録画され、２１：００〜２３：００の時間帯で放送されている番組（映画）が録画されないような事態を防止することができる。つまり、直前の録画操作に対応して、録画しようとした２１：００〜２３：００の時間帯で放送されている番組（映画）を録画することができる。
【００２８】
さらに、視聴中の番組の次の番組ｉの放送時間も所定時間以下であれば（ＳＴ１７、ＹＥＳ）、番組ｉを次の番組と見なさず（ＳＴ１８）、ｉ＝ｉ＋１が設定され（ＳＴ１９）、さらに、視聴中の番組の次の番組ｉの放送時間が所定時間以下でなければ（ＳＴ２０、ＮＯ）、視聴中の番組の次の番組ｉの番組単位録画が開始される（ＳＴ２１）。つまり、録画再生信号処理モジュール２７は、視聴中の番組の次の番組ｉの放送開始時間の数秒前になると録画を開始し、この番組ｉの放送終了で録画を終了する（ＳＴ２１）。
【００２９】
これにより、図８に示すように、１９：００〜２１：００の時間帯で放送されている番組（ドラマ）の視聴中であって、しかも２１：００の直前（例えば数分前）に録画キーが押下された場合に、１９：００〜２１：００の時間帯で放送されている番組（ドラマ）と、２１：００〜２３：００の時間帯で放送されている番組（映画）との間に、短編番組（ニュース番組又は映画案内番組など）が挿入されていたとしても（短編番組が複数挿入されていたとしても）、２１：００〜２３：００の時間帯で放送されている番組（映画）を録画することができる。一般的に、２１：００〜２３：００の時間帯で放送されている番組（映画）を録画しようとした場合、２１：００の直前（例えば数分前）に録画キーを押下することがある。このとき、１９：００〜２１：００の時間帯で放送されている番組（ドラマ）の次の番組を録画する機能が働いたとしても、上記したように短編番組だけが録画され、２１：００〜２３：００の時間帯で放送されている番組（映画）が録画されないような事態を防止することができる。つまり、直前の録画操作に対応して、録画しようとした２１：００〜２３：００の時間帯で放送されている番組（映画）を録画することができる。
【００３０】
これまでは、番組単位録画モードの設定時の動作について説明した。続いて、通常録画モードの設定時の動作について説明する。つまり、通常録画モードが設定され、所望のチャンネルが選局された状態で（所望のチャンネルの所定の番組が視聴された状態で）、リモートコントローラ２１の録画キーが押下（１回押下）されると（ＳＴ２４）、番組情報有無判断モジュール１２による電子番組ガイドの受信状況に応じて、ＣＰＵモジュール１０は、第１の通常録画の開始を指示したり（ＳＴ２６）、第２の通常録画の開始を指示したりする（ＳＴ２７）。つまり、通常録画モードが設定されていて、電子番組ガイドが受信できない場合には（ＳＴ２５、ＮＯ）、第２の通常録画が開始される（ＳＴ２７）。通常録画モードが設定されていて、電子番組ガイドが受信できた場合には（ＳＴ２５、ＹＥＳ）、第１の通常録画が開始される（ＳＴ２６）。
【００３１】
通常録画は、録画キーの押下に対応して視聴中の番組の録画を開始し、録画停止キーの押下又は録画終了時刻の入力に対応して（ＳＴ２８）視聴中の番組の録画を終了する（ＳＴ２９）。さらに、図５に示すように、番組単位録画情報生成モジュール１４が、第１の通常録画においては、録画された録画番組データに対して、電子番組ガイドから判明する各番組（ドラマ、映画、アニメ）の区切り（終了時刻）に対応する位置に区切り情報（チャプターポイント）を設定する。これにより、録画番組データ再生時に、区切り情報を指定し、指定した区切り情報の位置から再生を開始することができる。つまり、通常録画（第１の通常録画）により録画された録画番組データを簡単操作で番組単位再生することができる。
【００３２】
また、図６に示すように、通常録画チャプター情報生成モジュール１５が、第２の通常録画においては、録画された録画番組データに対して、定時刻毎（２０時、２１時、２２時、２３時など）と所定時間毎（例えば３０分毎（２０時半、２１時半、２２時半））に区切り情報（チャプターポイント）を設定する。これにより、録画番組データ再生時に、区切り情報を指定し、指定した区切り情報の位置から再生を開始することができる。つまり、通常録画（第２の通常録画）により録画された録画番組データを簡単操作で定時刻単位再生することができる。
【００３３】
なお、電子番組ガイドが受信できる場合には、第１の通常録画と第２の通常録画とを組み合わせた第３の通常録画を実行するようにしてもよい。番組単位録画情報生成モジュール１４及び通常録画チャプター情報生成モジュール１５が、第３の通常録画においては、録画された録画番組データに対して、電子番組ガイドから判明する各番組（ドラマ、映画、アニメ）の区切り（終了時刻）に対応する位置に区切り情報（チャプターポイント）を設定し、さらに、番組の区切りを基準として所定時間毎（例えば１０分毎）に区切り情報（チャプターポイント）を設定する。これにより、録画番組データ再生時に、区切り情報を指定し、指定した区切り情報の位置から再生を開始することができる。つまり、通常録画（第３の通常録画）により録画された録画番組データを簡単操作で番組単位再生及び所定時間単位再生することができる。
【００３４】
以上により、本発明の一実施形態に係る番組録画装置は、録画キーの１回の押下に対応して、録画モードの設定状況及び電子番組ガイドの受信状況に応じた最適な録画モード（番組単位録画モード、通常録画モード）を選択し実行する。これにより、ユーザは、煩雑な操作から解放され、簡単操作で番組を録画することができる。
【００３５】
また、各録画モードには弱点が存在する。例えば、番組単位録画モードは、番組単位の録画に優れるが、電子番組情報が受信できない場合に実行できない。つまり、番組単位録画モードが設定されている状況で、電子番組情報が受信できないと、録画できない。また、従来の通常録画モードは、チャプターポイントを設定しないため、従来の通常録画モードにより録画された録画データは先頭から順に再生するしかなかった。
【００３６】
本発明の一実施形態に係る番組録画装置は、番組単位録画モードが設定されていても、電子番組情報が受信できない場合には、通常録画モード（第２の通常録画）を実行し、録画ができない事態を回避することができる。
【００３７】
また、番組録画装置は、通常録画モードが設定されており、電子番組情報が受信できる場合には、通常録画モード（第１の通常録画）を実行する。第１の通常録画により録画された録画データには、番組単位でチャプターポイントが設定されるため、番組単位再生が可能となる。
【００３８】
さらに、番組録画装置は、通常録画モードが設定されており、電子番組情報が受信できない場合には、第２の通常録画を実行する。第２の通常録画により録画された録画データには、定時刻単位、所定時間単位でチャプターポイントが設定されるため、定時刻単位再生、所定時間単位再生が可能となる。
【００３９】
上記のように、番組録画装置は、各録画モードの弱点を補うことができる。
【００４０】
なお、上記したモジュールとは、ハードウェアで実現するものであっても良いし、ＣＰＵ等を使ってソフトウェアで実現するものであってもよい。
【００４１】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４２】
【図１】状況に応じて通常録画モード（第１の通常録画及び第２の通常録画）と番組単位録画モードを選択する録画モード選択処理を説明するためのフローチャートである。
【図２】録画操作画面の一例を示す図である。
【図３】本発明の一実施形態に係る番組録画装置の概略構成を示す図である。
【図４】番組単位録画モードを説明するための図である。
【図５】通常録画モード（第１の通常録画）を説明するための図である。
【図６】通常録画モード（第２の通常録画）を説明するための図である。
【図７】番組単位録画モードにおける次の番組の録画処理を説明するための図である。
【図８】番組単位録画モードにおける次の番組のさらに次の番組の録画処理を説明するための図である。
【符号の説明】
【００４３】
１０…ＣＰＵモジュール、１１…録画モード設定モジュール、１２…番組情報有無判断モジュール、１３…番組時間算出比較モジュール、１４…番組単位録画情報生成モジュール、１５…通常録画チャプター情報生成モジュール、２２…リモートコントローラ信号受光モジュール、２３…ユーザ操作入力モジュール、２４…チューナモジュール、２５…メモリモジュール、２６…タイマモジュール、２７…録画再生信号処理モジュール、３１…ハードディスクドライブモジュール、３２…ハードディスク、３３…ディスクドライブモジュール
【図１】
2010103929.tif 000003
【図２】
2010103929.tif 000004
【図３】
2010103929.tif 000005
【図４】
2010103929.tif 000006
【図５】
2010103929.tif 000007
【図６】
2010103929.tif 000008
【図７】
2010103929.tif 000009
【図８】
2010103929.tif 000010